(57)【要約】      （修正有）【課題】運転開始直後における寝具内の温度をきめ細かく制御することで、より一層快適に眠りにつくことができる温調空気循環式寝具を提供する。【解決手段】空気の温度を調節する温度調節ユニット２０と、温度調節ユニット２０から吹き出した空気を循環させる空気流路１１が形成された寝具本体１０と、温度調節ユニット２０を制御する制御部５８とを備え、温度調節ユニット２０により設定温度に温度調節された空気を空気流路１１内に循環させて寝具本体１０の温度を調節する温調空気循環式寝具１において、温度調節ユニット２０は、冷房運転を行い、制御部５８は、温度調節ユニット２０の運転開始後の所定時間、前記設定温度より低い温度に設定された初期温度に温度調節された空気を空気流路１１内に循環させる初期制御を行い、初期制御後、前記設定温度に温度調節された空気を空気流路１１内に循環させる。【選択図】図１
2010187841.tif 000002
【特許請求の範囲】
【請求項１】
空気の温度を調節する温度調節ユニットと、前記温度調節ユニットから吹き出した空気を循環させる空気流路が形成された寝具本体と、前記温度調節ユニットを制御する制御部とを備え、前記温度調節ユニットにより設定温度に温度調節された空気を前記空気流路内に循環させて前記寝具本体の温度を調節する温調空気循環式寝具において、
前記温度調節ユニットは、冷房運転を行い、
前記制御部は、前記温度調節ユニットの運転開始後の所定時間、前記設定温度より低い温度に設定された初期温度に温度調節された空気を前記空気流路内に循環させる初期制御を行い、前記初期制御後、前記設定温度に温度調節された空気を前記空気流路内に循環させることを特徴とする温調空気循環式寝具。
【請求項２】
空気の温度を調節する温度調節ユニットと、前記温度調節ユニットから吹き出した空気を循環させる空気流路が形成された寝具本体と、前記温度調節ユニットを制御する制御部とを備え、前記温度調節ユニットにより設定温度に温度調節された空気を前記空気流路内に循環させて前記寝具本体の温度を調節する温調空気循環式寝具において、
前記温度調節ユニットは、暖房運転を行い、
前記制御部は、前記温度調節ユニットの運転開始後の所定時間、前記設定温度より高い温度に設定された初期温度に温度調節された空気を前記空気流路内に循環させる初期制御を行い、前記初期制御後、前記設定温度に温度調節された空気を前記空気流路内に循環させることを特徴とする温調空気循環式寝具。
【請求項３】
前記設定温度と前記初期温度との温度差を変更できることを特徴する請求項１又は２に記載の温調空気循環式寝具。
【請求項４】
空気の温度を調節する温度調節ユニットと、前記温度調節ユニットから吹き出した空気を循環させる空気流路が形成された寝具本体と、前記温度調節ユニットを制御する制御部とを備え、前記温度調節ユニットにより温度調節された所定流量の空気を前記空気流路内に循環させて前記寝具本体の温度を調節する温調空気循環式寝具において、
前記制御部は、前記温度調節ユニットの運転開始後の所定時間、前記所定流量より多い流量の空気を前記空気流路内に循環させる初期制御を行い、前記初期制御後、前記所定流量の空気を前記空気流路内に循環させることを特徴とする温調空気循環式寝具。
【請求項５】
前記寝具本体の利用者の体温を検出する体温検出装置を備え、前記体温検出装置が検出する温度変化に基づいて、前記運転開始時から前記初期制御を終了するまでの時間を決定することを特徴とする請求項１〜４のいずれか１項に記載の温調空気循環式寝具。
【請求項６】
前記空気流路を循環する空気の湿度を検出する湿度検知装置を備え、前記湿度検出装置が検出する湿度変化に基づいて、前記運転開始時から前記初期制御を終了するまでの時間を決定することを特徴とする請求項１〜４のいずれか１項に記載の温調空気循環式寝具。
【請求項７】
空気の温度を調節する温度調節ユニットと、前記温度調節ユニットから吹き出した空気を循環させる空気流路が形成された寝具本体と、前記温度調節ユニットを制御する制御部とを備え、前記温度調節ユニットにより所定の設定温度に温度調節された空気を前記空気流路内に循環させて前記寝具本体の温度を調節する温調空気循環式寝具において、
前記制御部は、所定時刻に設定された停止時刻に前記温度調節ユニットの運転を停止させるタイマー制御を行い、前記停止時刻前の所定時刻から前記停止時刻まで前記設定温度を前記寝具本体の外部温度に漸次近づける終了制御を行うことを特徴とする温調空気循環式寝具。
【請求項８】
空気の温度を調節する温度調節ユニットと、前記温度調節ユニットから吹き出した空気を循環させる空気流路が形成された寝具本体と、前記温度調節ユニットを制御する制御部と、前記空気流路を循環する空気の温度を検出する温度センサとを備え、
前記制御部は、所定時間内に所定値以上の温度変化を前記温度センサが検出すると、異常報知を行うことを特徴とする温調空気循環式寝具。
【発明の詳細な説明】
【技術分野】
【０００１】
温度調節ユニットにより温度調節された空気を循環させて寝具内の温度を調節する温調空気循環式寝具に関する。
【背景技術】
【０００２】
トラックなどの車両内で休憩する場合、夏場においては車両内の室温が高くなることが多いことから、車両自体の空気調和装置を作動させて車内を冷房しながら休憩することがある。しかしながら、空気調和装置を動かすためだけにエンジンを回し続けることになるので、エネルギーの浪費に繋がるばかりでなく大気汚染や騒音公害など環境汚染の原因になるという問題がある。
【０００３】
そこで、従来、内部に人間が横たわる空間を有する寝具本体とこの寝具本体に接続される空気調和装置とを有し、空気調和装置に設けられた冷凍機などの冷熱源によって発生した冷気を送風装置が寝具本体に供給する寝具が提案されている（例えば、特許文献１参照）。
【０００４】
このような寝具では、温度制御が行われていないため、快適に眠りにつくことができないおそれがある。例えば、夏場において冷却された寝具内に入ったとしても、体が外部の高温に曝され熱くなっているため、快適に眠りにつくことができないおそれがある。
【先行技術文献】
【特許文献】
【０００５】
【特許文献１】特開２００７−１０５０８４号公報
【発明の概要】
【発明が解決しようとする課題】
【０００６】
本発明は上記問題を考慮してなされたものであり、運転開始直後における寝具内の温度をきめ細かく制御することで、より一層快適に眠りにつくことができる温調空気循環式寝具を提供することを目的とする。
【課題を解決するための手段】
【０００７】
本発明に係る温調空気循環式寝具は、空気の温度を調節する温度調節ユニットと、前記温度調節ユニットから吹き出した空気を循環させる空気流路が形成された寝具本体と、前記温度調節ユニットを制御する制御部とを備え、前記温度調節ユニットにより設定温度に温度調節された空気を前記空気流路内に循環させて前記寝具本体の温度を調節する温調空気循環式寝具において、前記温度調節ユニットは、冷房運転を行い、前記制御部は、前記温度調節ユニットの運転開始後の所定時間、前記設定温度より低い温度に設定された初期温度に温度調節された空気を前記空気流路内に循環させる初期制御を行い、前記初期制御後、前記設定温度に温度調節された空気を前記空気流路内に循環させることを特徴とする。
【発明の効果】
【０００８】
本発明の温調空気循環式寝具では、上記構成により、運転開始直後における寝具内の温度をきめ細かく制御することができ、使用者がより一層快適に眠りにつくことができる。
【図面の簡単な説明】
【０００９】
【図１】本発明の１実施形態に係る温調空気循環式寝具の構成を示す図である。
【図２】温調空気循環式寝具が備える温度調節ユニットの正面からの断面図である。
【図３】温調空気循環式寝具が備える温度調節ユニットの側断面図である。
【図４】温調空気循環式寝具が備える冷凍サイクルを示す図である。
【図５】図２のＡ−Ａ断面図である。
【図６】図２のＢ−Ｂ断面図ある。
【図７】温調空気循環式寝具の電源構成を示すブロック図である。
【図８】温調空気循環式寝具の制御構成を示すブロック図である。
【図９】温度調節ユニットの操作部を示す平面図である。
【図１０】温調空気循環式寝具の起動時の制御の手順を示すフロー図である。
【図１１】温調空気循環式寝具のタイマー制御の手順を示すフロー図である。
【発明を実施するための形態】
【００１０】
以下、本発明の一実施形態について、図面を参照して説明する。
【００１１】
温調空気循環式寝具（以下、寝具という）１は、使用者Ａを収容する収容空間Ｓが形成された寝具本体１０と、空気の温度を調節する温度調節ユニット２０と、使用者Ａの体温を検出する体温センサ５６とを備える。
【００１２】
寝具本体１０は、例えばトラックなどの車両２内に配設され使用者Ａが休憩する際に使用されるものであって、寝具本体１０内部に温度調節ユニット２０により温度調節された空気が流通する空気流路が形成されている。空気流路１１の両端部は、寝具本体１０の外方に開口し、一方の開口部１２が温度調節ユニット２０の吹出ダクト２２と連結され、他方の開口部１４が温度調節ユニット２０の吸込ダクト２４と連結されている。
【００１３】
なお、本実施形態では寝具本体として敷きマット及び掛けマットが一体となった寝袋について説明するが、本発明はこれに限定されず、内部の少なくとも一部に空気を循環させることができるものであればよく、例えば、敷きマット及び掛けマットのいずれか一方であっても良く、また、敷きマット及び掛けマットの双方を備えたものであってもよい。
【００１４】
温度調節ユニット２０は、薄鋼板製の筐体２１を有し、その内部に寝具本体１０内部に設けられた空気流路１１に流通させる空気の温度を調節する熱源としての冷凍サイクル３０と、温度調節ユニット２０全体の制御を司る制御装置５８と、を備える。
【００１５】
筐体２１には、温調空気循環式寝具１のＯＮ・ＯＦＦや寝具本体１０の空気流路１１を循環する空気の温度及び流量を設定する操作部２６と、温調空気循環式寝具１のＯＮ・ＯＦＦなどの運転状態やバッテリの電圧低下などの異常を表示する表示部２８と、が配設されている。
【００１６】
筐体２１内部は、図２及び図３に示すように、高さ方向のほぼ中央部を発泡スチロール成型体などからなる断熱仕切壁２３で上下の空間に区画されている。断熱仕切壁２３の上方の空間には、機械室２５が設けられ、冷凍サイクル３０の一環をなす冷媒を圧縮して吐出する圧縮機３１、吐出された高温高圧の冷媒を受けて放熱し凝縮する第１熱交換器３３、圧縮機３１等の高温部品を冷却する放熱ファン３８等が配設される。また、断熱仕切壁２３の下方の空間には、断熱仕切壁２３と同様の断熱材により覆われ断熱空間をなす温調室２７が設けられ、第２熱交換器３６や送風ファン３７等が配設される。
【００１７】
冷凍サイクル３０は、図４に示すように、圧縮機３１、四方弁３２、第１熱交換器３３、ドライヤ３４、キャピラリーチューブ３５及び第２熱交換器３６を環状に順次接続してなり、第２熱交換器３６が寝具本体１０の空気流路１１を流通する空気と熱交換する。
【００１８】
図２において、実線の矢印は冷房運転時の冷媒の流れを示し、圧縮機３１から吐出した冷媒は四方弁３２を通って凝縮器としての第１熱交換器３３に流入して凝縮され、ドライヤ３４で水分を除去した後キャピラリーチューブ３５に入る。キャピラリーチューブ３５で減圧された冷媒は、蒸発器としての第２熱交換器３６で蒸発し第２熱交換器３６を冷却することで気化し四方弁３２を通って圧縮機３１に戻り、再び四方弁３２を介して第１熱交換器３３に流入し循環する。また、破線の矢印は暖房運転時の冷媒の流れを示し、四方弁３２を切り替えて、第１熱交換器３３が蒸発器となり、第２熱交換器３６が凝縮器となるように冷媒が循環する。
【００１９】
図５に示すように、機械室２５内には、圧縮機３１が断熱仕切壁２３の幅方向の一側に寄せて振動吸収用のクッション体５０を介して固着されている。
【００２０】
第１熱交換器３３は、蛇行曲げした冷媒管を多数のフィンに嵌入させて奥行き寸法を薄くした直方体状をなしている。第１熱交換器３３は、筐体２１の前面に形成した吸込み開口５１に沿わせて立設されており、吸込み開口５１と第１熱交換器３３との間には埃などを遮蔽するためのフィルタ５２を設けている。
【００２１】
第１熱交換器３３の背面には圧縮機３１の側方底部に開口した排気口５３の端縁に放熱ファン３８が立設されており、放熱ファン３８の駆動により、外気を前面の開口５１から内部に吸引して第１熱交換器３３と熱交換させた後、排気口５３から下方の排気ダクト５４に向けて放出するようにしている。
【００２２】
機械室２５の上方には、制御装置５８が配設されており、筐体２１における制御装置５８の前方位置に操作部２６及び表示部２８が設けられている。
【００２３】
操作部２６は、図９に示すように、温度調節ユニット２０の各種動作条件を設定するためのものであって、具体的には、温度調節ユニット２０の電源をＯＮ・ＯＦＦを切り換える電源スイッチ２６ａと、冷房運転と暖房運転を切り換える冷房・暖房スイッチ２６ｂと、寝具本体１０の空気流路１１を流通する空気の温度を設定する温度設定スイッチ２６ｃと、後述する初期制御運転の運転強度を切り換えるターボスイッチ２６ｄと、温度調節ユニット２０の電源を自動的にＯＦＦするまでの時間であるタイマー時間を切り換えるタイマースイッチ２６ｅとを備える。これらの各スイッチ２６ａ，２６ｂ，２６ｃ，２６ｄ，２６ｅは、押圧操作している間だけ操作信号が出力されるようになっている。
【００２４】
断熱仕切壁２３の下方に配された温調室２７には、図６に示すように、第１熱交換器３３からの冷媒を受ける第２熱交換器３６を、温調室２７の奥行き方向中央部より前方に寄せて、幅方向に亙って立設状態で配置している。
【００２５】
第２熱交換器３６は、第１熱交換器３３と同様、蛇行曲げした冷媒管と冷媒管に嵌着した多数のフィンとから所定の幅と高さ寸法を有して奥行き寸法を薄くした横長の直方体をなしている。第２熱交換器３６の側方であって温調室２７の幅方向一方側（本実施形態では、図６中の左側）には、シロッコファンからなる送風ファン３７が温調室２７の奥行き方向に亙り、配設されている。
【００２６】
温調室２７の幅方向一方側に配設された送風ファン３７の前方には、温調室２７において温度調節された空気を寝具本体１０の空気流路１１に導入する吹出ダクト２２が配設されている。
【００２７】
また、温調室２７の幅方向他方側に位置する第２熱交換器３６の前面には、吸込ダクト２４が配設されており、寝具本体１０の開口部１４を介して寝具本体１０の空気流路１１を循環した空気を吸込ダクト２４より温調室２７内に導入する。そして、吸込ダクト２４内には、温度センサ３９及び湿度センサ５５が配設されており、寝具本体１０の空気流路１１を循環して戻ってきた空気の温度及び湿度を検出する。
【００２８】
上記構成により、温度調節ユニット２０において温度調節された空気が、吹出ダクト２２を介して寝具本体１０の空気流路１１に送り込まれ、寝具本体１０の空気流路１１を流通した空気が吸込ダクト２４を介して温度調節ユニット２０に戻る。温度調節ユニット２０に戻った空気は、温度調節され再び寝具本体１０の空気流路１１に送り込まれ循環することで、寝具本体１０の温度を調節する。
【００２９】
温調室２７は平面視において上方の排気口５３に対応した位置が内方に向けて凹設され、排気ダクト５４が形成されている。排気ダクト５４は機械室２５に設けられた排気口５３と車両２の底面あるいは側壁に設けられた排気口３とを接続する（図３参照）。放熱ファン３８の駆動時には、圧縮機３１や第１熱交換器３３と熱交換した空気を排気口５３から排気ダクト５４を介して下方に流下させ排気口３から車両２の外部へ放出する。
【００３０】
上記のような温度調節ユニット２０は、車両２に搭載される第２バッテリ４０より電力の供給を受けて駆動運転される。第２バッテリ４０は、図７に示すように、車両２のエンジン始動時にエンジンを回転駆動するスタータ４１に電力を供給する第１バッテリ４２とは別個に車両２に搭載される蓄電池であって、車両２のオルタネータ４３及び第１バッテリ４２の接続点と第２バッテリ４０との間にアイソレータ４４が設けられている。
【００３１】
アイソレータ４４は、スタータ４１の始動時に第１バッテリ４２と第２バッテリ４０との接続を遮断して第２バッテリ４０の放電を防ぐとともに、車両走行時などのスタータ４１が動作せず、かつ、オルタネータ４３が発電中において、第１バッテリ４２と第２バッテリ４０との遮断を無効化して第２バッテリ４０をオルタネータ４３から直接充電する。
【００３２】
体温センサ５６は、例えば、アームバンド５６ａの内周面に取り付けられており、使用者Ａの手首にアームバンド５６ａを装着することで、体温センサ５６が使用者Ａの手首に接触して使用者Ａの体温を検出する。体温センサ５６は不図示の接続線を介して温度調節ユニット２０の制御装置５８に接続されている。
【００３３】
制御装置５８は、マイクロコンピュータを含んで構成されたもので、図８に示すように、上記したように操作部２６からの操作信号以外にも、温度センサ３９及び湿度センサ５５から寝具本体１０の空気流路１１を循環して戻ってきた空気の温度及び湿度を検出する温度検出信号及び湿度検出信号が入力され、体温センサ５６から使用者Ａの体温を検出する体温検出信号が入力され、車両２のエンジン制御部５９からエンジンの停止を検出するエンジン停止信号が入力される。
【００３４】
また、制御装置５８は、書き換え可能なメモリ６０に接続されている。このメモリ６０には、予め温度調節ユニット２０の制御プロクラムが記憶されているとともに、前回動作時の動作条件が記憶される。
【００３５】
制御装置５８は、上記の各種信号の入力や、メモリ６０に記憶された制御プログラム及び前回動作時の動作条件に基づき、表示部２８及び冷凍サイクル３０が備える圧縮機３１、四方弁３２、送風ファン３７、放熱ファン３８を制御する駆動部６２に駆動制御信号を出力する。
【００３６】
そして、制御装置５８は、温度調節ユニット２０の起動時に、温度センサ３９の検出温度が所定の設定温度と一致するように冷凍サイクル３０を制御する通常制御運転と、温度センサ３９の検出温度が設定温度と別個に設定される初期温度と一致するように冷凍サイクル３０を制御する初期制御運転とを切り換えて行う。
【００３７】
詳細には、図１０のフロー図に示すように、制御装置５８は、操作部２６の電源スイッチ２６ａが押圧されると、エンジン制御部５９より入力されるエンジン停止信号の有無からエンジンが停止しているか否か判断する（ステップＳ１）。エンジンが動作していると判断されると、制御装置５８は温度調節ユニット２０の起動を禁止して（ステップＳ２）、制御を終了する。エンジンが停止していると判断されるとステップＳ３に進み、制御装置５８は温度調節ユニット２０を起動させる。
【００３８】
ステップＳ３では、メモリ６０より前回動作時の動作条件を読み込む。具体的には、前回動作時において、温度調節ユニット２０の運転が冷房運転及び暖房運転のいずれに設定されているか、寝具本体１０の温度設定が「強」「中」「弱」のいずれに設定されているか、初期制御運転の運転強度が「強」「中」「切」のいずれに設定されているか、をメモリ６０から読み込み、ステップＳ４に進む。なお、ステップＳ３では、温度調節ユニット２０の起動時に、冷房・暖房スイッチ２６ｂ、温度設定スイッチ２６ｃ、又はターボスイッチ２６ｄが押圧操作されると、メモリ６０から読み込んだ前回動作条件に換えて押圧操作されたスイッチに対応する動作条件を読み込む。
【００３９】
本実施形態では、例えば、制御装置５８は、冷房運転時において温度設定が「強」で２４℃、「中」で２６℃、「弱」で２８℃に寝具本体１０の空気流路１１内を循環する空気の温度を設定する。また、制御装置５８は、暖房運転時において温度設定が「強」で２４℃、「中」で２２℃、「弱」で２０℃に寝具本体１０の空気流路１１内を循環する空気の温度、を設定する。
【００４０】
ステップＳ４では、ステップＳ３において読み込んだ初期制御運転の運転強度の設定が「強」又は「中」の場合はステップＳ５に進み、「切」の場合はステップＳ８に進む。
【００４１】
ステップＳ５では、制御装置５８は、寝具本体１０の空気流路１１を循環する空気の温度を初期温度に調節する初期制御運転を行い、ステップＳ６に進む。
【００４２】
具体的には、冷房運転時では、初期制御運転の運転強度の設定が「強」の場合、ステップＳ３で設定した温度（設定温度）より３℃低い温度に初期温度を設定し、初期制御運転の運転強度の設定が「中」の場合、ステップＳ３で設定した温度（設定温度）より２℃低い温度に初期温度を設定する。また、暖房運転時では、初期制御運転の運転強度の設定が「強」の場合、ステップＳ３で設定した温度（設定温度）より５℃高い温度に初期温度を設定し、初期制御運転の運転強度の設定が「中」の場合、ステップＳ３で設定した温度（設定温度）より３℃高い温度に初期温度を設定する。このように、暖房運転時における設定温度と初期温度との温度変化量を冷房運転時より大きく設定することで、外気温度と快適な温度との温度差が夏場に比べて大きい冬場であっても素早く身体を暖めることができる。
【００４３】
ステップＳ６では、温度調節ユニット２０の運転開始から所定時間（本実施形態では、例えば５分間）経過したか否か判断し、所定時間経過していればステップＳ７に進み、経過していなければステップＳ６を繰り返し、温度センサ３９の検出温度が上記のように設定された初期温度と一致するように制御装置５８は冷凍サイクル３０を制御し、寝具本体１０の空気流路１１を循環する空気の温度を初期温度に温度調節する初期制御運転を所定時間だけ行う。
【００４４】
ステップＳ７では、温度センサ３９の検出温度が初期温度から設定温度まで所定時間（本実施形態では、例えば１０分間）かけて変更するように制御装置５８は冷凍サイクル３０を制御し、寝具本体１０の空気流路１１を循環する空気の温度を初期温度からステップＳ３で設定した設定温度まで所定時間（本実施形態では、例えば１０分間）かけて変更する移行制御運転を行い、移行制御運転が終了するとステップＳ８に進む。
【００４５】
ステップＳ８では、温度センサ３９の検出温度が設定温度と一致するように制御装置５８は冷凍サイクル３０を制御し、寝具本体１０の空気流路１１を循環する空気の温度を設定温度に温度調節する通常制御運転を行い、制御装置５８は温度調節ユニット２０の起動時における制御を終了する。
【００４６】
また、制御装置５８は、温度調節ユニット２０の動作中に、タイマースイッチ２６ｅが押圧操作されると、タイマー制御運転を開始する。
【００４７】
詳細には、図１１のフロー図に示すように、制御装置５８は、ステップＳ１１において、押圧された時点から押圧操作されたタイマースイッチ２６ｅに対応付けられた時間経過後に温度調節ユニット２０を停止する時刻（停止時刻）を設定する。
【００４８】
例えば、「６」のタイマースイッチ２６ｅが押圧操作された場合、制御装置５８は、タイマースイッチ２６ｅが押圧操作された時点から６時間後に停止時刻を設定し、同様に、「４」及び「２」のタイマースイッチ２６ｅが押圧操作された場合、制御装置５８はタイマースイッチ２６ｅが押圧操作された時点から４時間後及び２時間後に停止時刻をそれぞれ設定する。
【００４９】
また、制御装置５８は停止時刻の設定と併せて、停止時刻から所定時間（本実施形態では、例えば、１０分間）遡った停止時刻前の所定時刻（終了制御開始時刻）を設定し、ステップＳ１２に進む。
【００５０】
ステップＳ１２では、ステップＳ１１において設定した終了制御開始時刻を経過した否か判断する。終了制御開始時刻を経過していればステップＳ１３に進み、終了制御開始時刻を経過していなければステップＳ１２を繰り返し、上記した通常制御運転、すなわち、温度センサ３９の検出温度が設定温度と一致するように制御装置５８は冷凍サイクル３０を制御し、寝具本体１０の空気流路１１を循環する空気の温度を設定温度に温度調節する運転を行う。
【００５１】
ステップＳ１３では、制御装置５８は、ステップＳ１１で設定した終了制御開始時刻から停止時刻までの間、温度センサ３９の検出温度が設定温度から寝具本体１０の設置場所の雰囲気温度（外部温度）に漸次近づくように冷凍サイクル３０を制御し、寝具本体１０の空気流路１１を循環する空気の温度を設定温度から寝具本体１０の外部温度に漸次近づける終了制御運転を行う。
【００５２】
そして、停止時刻を経過して終了制御運転が終了するとステップＳ１４に進み、制御装置５８は温度調節ユニット２０を停止させタイマー制御運転を終了する。
【００５３】
また、制御装置５８は、温度調節ユニット２０の動作中に温度センサ３９の検出温度が、所定時間（例えば、１０秒間）内に所定温度（例えば、５℃）以上変化した場合、吹出ダクト２２又は吸込ダクト２４が寝具本体１０から脱落しているなどの理由により、車両２内の空気が吸込ダクト２４より温調室２７内に導入されているとして、表示部２８にエラー表示を行い異常報知を行う。なお、制御装置５８は、吹出ダクト２２又は吸込ダクト２４が寝具本体１０から脱落した場合に、エラー表示に換えて又はエラー表示と併せて警告音を出力してもよい。
【００５４】
以上のように本実施形態の温調空気循環式寝具１では、運転開始時における寝具本体１０内の温度を通常制御運転時より、冷房運転では低く設定し、暖房運転では高く設定する初期制御運転を行うことで、夏場では寝具本体１０の涼しさを、冬場では寝具本体１０の暖かさを強調することができ、一年を通じて快適な眠りを提供することができる。
【００５５】
また、初期制御運転は、設定温度と初期温度との温度変化量を変更することで、その運転強度を変更できるため、使用者Ａの好みに応じた温度調節が可能になり、より一層快適な眠りを提供することができる。
【００５６】
また、本実施形態の温調空気循環式寝具１では、停止時刻前に設定された終了制御開始時刻から停止時刻までの間、寝具本体１０の空気流路１１を循環する空気の温度を設定温度から寝具本体１０の外部温度に徐々に近づける終了制御運転を行うため、タイマー制御運転により停止時刻に温度調節ユニット２０が停止しても寝具本体１０の温度が急激に変化することなく、快適な目覚めが可能となる。
【００５７】
また、本実施形態の温調空気循環式寝具１では、吹出ダクト２２又は吸込ダクト２４が寝具本体１０から脱落すると制御装置５８が異常を報知するため、速やかに使用者Ａにダクト２２，２４の脱落を知らしめることができる。
【００５８】
特に、吸込ダクト２４が寝具本体１０から脱落しているなどの理由により、車両２内の空気が吸込ダクト２４より温調室２７内に導入されると、温度センサ３９の検出温度と設定温度との偏差が大きくなる。そうすると、制御装置５８は冷凍サイクル３０の運転強度を強く設定してしまい、冷房運転時において寝具本体１０を冷やし過ぎ、暖房運転時において寝具本体１０を暖め過ぎて、使用者Ａの体調を害するおそれがあるが、本実施形態の温調空気循環式寝具１では、速やかに使用者Ａに異常を知らしめることができるため、寝具本体１０を冷やし過ぎや暖め過ぎることを防止することができる。
【００５９】
なお、上記した本実施形態では、運転開始後の所定時間行う初期制御運転として、上記のような初期温度に温度調節された空気を寝具本体１０の空気流路１１に循環させたが、例えば、初期制御運転時の送風ファン３７の回転速度を通常制御運転時より速く設定し、
初期制御運転時における寝具本体１０の空気流路１１を循環する空気の流量を通常制御運転時より多く設定してもよい。このような場合であっても、運転開始時に運転強度を強めることで、夏場では寝具本体１０の涼しさを、冬場では寝具本体１０の暖かさを強調することができ、一年を通じて快適な眠りを提供することができる。
【００６０】
また、上記した本実施形態では、制御装置５８は、温度調節ユニット２０の運転開始から所定時間経過すると初期制御運転を終了するが、例えば、アームバンド５６ａに取り付けられた体温センサ５６が検出する使用者Ａの体温に基づいて、初期制御運転を終了する時間を決定してもよい。
【００６１】
詳細には、温度調節ユニット２０が冷房運転を行っている場合、体温センサ５６の検出温度が所定温度（例えば０．３℃）以上低下した時点で初期制御運転を終了するように設定する。また、温度調節ユニット２０が暖房運転を行っている場合、所定時間毎に温度変化率を計算し、計算された温度変化率が所定値より小さくなった時点で初期制御運転を終了するように設定する。
【００６２】
このように体温センサ５６が検出する使用者Ａの体温に基づいて初期制御運転を終了する時間を決定することで、使用者Ａの身体が求める快適な温度制御が可能となる。
【００６３】
また、温度調節ユニット２０が暖房運転を行っている場合、所定時間毎に温度変化率を計算し、計算された温度変化率が所定値より小さくなった時点で初期制御運転を終了することで、体温センサ５６が使用者Ａの体温を検知するまでの温度上昇を、使用者Ａの体温上昇と誤って検知することが無くなり、精度良く初期制御運転を終了する時間を決定することができる。
【００６４】
さらにまた、上記した本実施形態では、制御装置５８は、温度調節ユニット２０の運転開始から所定時間経過すると初期制御運転を終了するが、例えば、吸込ダクト２４内に設けられた湿度センサ５５が検出する空気の湿度に基づいて、初期制御運転を終了する時間を決定してもよい。
【００６５】
詳細には、温度調節ユニット２０が冷房運転を行っている場合、所定時間毎に湿度センサ５５が検出する湿度の変化率を計算し、計算された湿度変化率がマイナス値となった時点、つまり、湿度センサ５５が検出する湿度が低下した時点で初期制御運転を終了するように設定する。また、温度調節ユニット２０が暖房運転を行っている場合、所定時間毎に湿度センサ５５が検出する湿度の変化率を計算し、計算された湿度変化率が所定値より小さくなった時点で初期制御運転を終了するように設定する。
【００６６】
このように湿度センサ５５が検出する寝具本体１０の空気流路１１を循環して戻ってきた空気の湿度に基づいて使用者Ａの発汗状態に即したタイミングで初期制御運転を終了する時間を決定することで、使用者Ａの身体が求める快適な温度制御が可能となる。
【符号の説明】
【００６７】
１…温調空気循環式寝具
１０…寝具本体
１１…空気流路
２０…温度調節ユニット
２２…吹出ダクト
２４…吸込ダクト
２６…操作部
３０…冷凍サイクル
５５…湿度センサ
５６…体温センサ
５６ａ…アームバンド
５８…制御装置
Ａ…使用者
【図１】
2010187841.tif 000003
【図２】
2010187841.tif 000004
【図３】
2010187841.tif 000005
【図４】
2010187841.tif 000006
【図５】
2010187841.tif 000007
【図６】
2010187841.tif 000008
【図７】
2010187841.tif 000009
【図８】
2010187841.tif 000010
【図９】
2010187841.tif 000011
【図１０】
2010187841.tif 000012
【図１１】
2010187841.tif 000013